(57)【要約】【課題】有機ＥＬディスプレイ装置の駆動装置において、消費電力を小さくして駆動装置の発熱を抑える。【解決手段】電源回路３０は、信号電極ドライバ部２２に、信号電極ドライバ部２２が備える定電流回路を正常に動作させるための電源電圧ＶＣＣｒ，ＶＣＣｇ，ＶＣＣｂを供給する。信号電極ドライバ部２２は、電源回路３０から、定電流回路がＲ，Ｇ，Ｂのどの有機ＥＬ素子に対応しているのかに応じて、定電流回路が正常に動作するために必要な電圧を別々に供給される。信号電極ドライバ部２２では、供給されたそれぞれの電圧が、対応する定電流回路に供給される。【選択図】図１
2007093870.tif 000002
【特許請求の範囲】
【請求項１】
複数の走査電極と複数の信号電極との間に有機薄膜が配置され、信号電極ごとに複数種類の有機薄膜のうちのいずれかが配置された有機ＥＬディスプレイ装置の駆動装置であって、
各信号電極に対して定電流を流す定電流回路を各信号電極ごとに有する信号電極ドライバと、
定電流回路を動作させるための電圧を信号電極ドライバに供給する電源回路とを備え、
電源回路は、複数種類の有機薄膜のいずれかが配置された各信号電極に対応する各定電流回路に応じた複数の電圧であって、有機薄膜の種類に対応する複数の電圧を信号電極ドライバに供給し、
信号電極ドライバは、電源回路から供給される電圧を、当該電圧に対応する有機薄膜が配置された信号電極に定電流を流す定電流回路に供給する
ことを特徴とする有機ＥＬディスプレイ装置の駆動装置。
【請求項２】
有機ＥＬディスプレイ装置に配置される複数種類の有機薄膜は、発色する色が異なる複数種類の有機薄膜であり、
電源回路は、発色する色が異なる複数種類の有機薄膜のいずれかが配置された各信号電極に対応する各定電流回路に応じた複数の電圧であって、有機薄膜の種類に対応する複数の電圧を信号電極ドライバに供給する
請求項１に記載の有機ＥＬディスプレイ装置の駆動装置。
【請求項３】
電源回路は、有機薄膜の種類に対応する複数の電圧として、それぞれの有機薄膜に定電流を流したときに有機薄膜に印加される電圧に所定の電圧を加算した電圧を信号電極ドライバに供給する
請求項２に記載の有機ＥＬディスプレイ装置の駆動装置。
【発明の詳細な説明】
【技術分野】
【０００１】
本発明は、有機ＥＬ(Electroluminescence )ディスプレイ装置の駆動装置に関する。
【背景技術】
【０００２】
有機ＥＬ素子は、陽極と陰極との間に有機薄膜を有する。陰極が陽極よりも高電位となるように両電極間に電圧を印加しても、有機薄膜にはほとんど電流が流れず、有機薄膜は発光しない。逆に、陽極が陰極よりも高電位となるように両極間に所定電圧（発光開始電圧）以上の電圧を印加すると、有機薄膜に電流が流れ、有機薄膜は発光する。この発光を利用した有機ＥＬディスプレイ装置が知られている。
【０００３】
有機ＥＬディスプレイ装置では、例えば、陽極と陰極とのうちのいずれか一方を走査電極とし、他方を信号電極として、複数の走査電極と複数の信号電極とが有機薄膜を挟んで直交するように配置される。このような有機ＥＬディスプレイ装置では、各走査電極と各信号電極との交差部分の有機ＥＬ素子が発光する。また、有機ＥＬ素子はマトリクス状に配置されることになる。この場合、線順次駆動によって、有機ＥＬディスプレイ装置を駆動する。すなわち、各走査電極を順次選択し、選択行の表示データに応じて信号電極から選択された走査電極に電流を流す。
【０００４】
有機ＥＬ素子を駆動するために、一般に、駆動ＩＣ（ドライバＩＣ）が用いられる。走査電極には、走査電極を駆動するためのドライバＩＣ（以下、行電極ドライバ部と表記する。）が接続される。信号電極には、信号電極を駆動するためのドライバＩＣ（以下、信号電極ドライバ部と表記する。）が接続される。信号電極ドライバ部は、各信号電極に対応する定電流回路を備える。なお、行電極ドライバ部と信号電極ドライバ部とが、１つのワンチップドライバＩＣとして形成されることもある。
【０００５】
走査電極には、行電極ドライバ部から選択電圧または非選択電圧が印加される。ある走査電極に選択電圧が印加されているとき、すなわちある走査電極が選択されているときに、各信号電極には、選択行の表示データに応じた定電流が流される。行電極ドライバ部から選択行の走査電極に印加される電圧と定電流が流されているときの信号電極の電圧との差分が、有機ＥＬ素子に印加される駆動電圧になる。
【０００６】
以下、有機ＥＬディスプレイ装置は、互いに異なる発色で表示を行う有機ＥＬ素子を含むものとする。例えば、赤色（Ｒ）、緑色（Ｇ）および青色（Ｂ）の３色のカラー表示を行う有機ＥＬディスプレイ装置は、Ｒを発色する有機ＥＬ素子、Ｇを発色する有機ＥＬ素子およびＢを発色する有機ＥＬ素子を含むものとする。以下、３つの有機ＥＬ素子ＲＧＢのまとまりを１画素（ＲＧＢ）と表記する。互いに異なる色を発色する有機ＥＬ素子を含む有機ＥＬディスプレイ装置では、発色する色によって、同程度の輝度で発光させる場合であっても、有機ＥＬ素子を駆動するために必要な駆動装置の出力が異なる。
【０００７】
図４は、一般的な有機ＥＬディスプレイ装置とその駆動装置とを示す模式図である。有機ＥＬディスプレイ装置（以下、有機ＥＬセルと表記する。）９１０は、１画素として、互いに異なる色を発色する３つの有機ＥＬ素子９１０１，９１０２，９１０３を有する。例えば、有機ＥＬ素子９１０１は赤色（Ｒ）、有機ＥＬ素子９１０２は緑色（Ｇ）、有機ＥＬ素子９１０３は青色（Ｂ）をそれぞれ発色する有機ＥＬ素子である。なお、有機ＥＬセルは複数の画素を含むが、図４では模式的に一つの画素のみを示している。図４では、駆動装置として、行電極ドライバ部９２１と、信号電極ドライバ部９２２とを示す。また、図４に示す信号電極ドライバ部９２２は、定電流回路９２２１，９２２２，９２２３を有する。なお、一般に、定電流回路はそれぞれスイッチに接続される。スイッチ制御信号にしたがって、点灯の場合にはスイッチがＡに接続されて各有機ＥＬ素子に定電流が流され、非点灯またはリセット時にはスイッチがＢに接続されて各有機ＥＬ素子にオフ電圧ＶＳＳが供給される。なお、リセット時とは、選択行が変わる際に全ての行電極ドライバ出力と信号電極ドライバ出力とを同じ電位にして、各有機ＥＬ素子の容量成分を放電する時間を示す。
【０００８】
図４に示すように、信号電極ドライバ部９２２には、各定電流回路を動作させるための電源電圧ＶＣＣが電源回路（図示略。）から供給される。また、有機ＥＬ素子９１０１，９１０２，９１０３を駆動するために必要な駆動電圧をそれぞれＶＲ，ＶＧ，ＶＢとする。すなわち、有機ＥＬ素子９１０１，９１０２，９１０３に定電流を流しているときに有機ＥＬ素子に印加される電圧をそれぞれＶＲ，ＶＧ，ＶＢとする。
【０００９】
図５は、一般的な有機ＥＬディスプレイ装置の駆動波形の例を示す説明図である。図５では、行電極ドライバ部９２１の出力電圧の駆動波形を実線で表し、有機ＥＬ素子ごとの信号電極の電圧の駆動波形をそれぞれ破線で表している。また、定電流回路を動作させるための電源電圧ＶＣＣを二点鎖線で表している。
【００１０】
定電流回路が正常に動作するためには、定電流を流したときに有機ＥＬ素子に印加される駆動電圧に対してマージンが必要となる。すなわち、定電流回路が有機ＥＬ素子に正常に定電流を流すためには、有機ＥＬ素子に印加される駆動電圧に必要なマージンを加えた電圧が、電源回路から定電流回路に供給される必要がある。なお、定電流が流されているときに有機ＥＬ素子に印加される駆動電圧は、有機ＥＬ素子が発光する色によって異なる。したがって、電源回路から定電流回路に供給される電圧は、駆動電圧のうち最大の電圧に必要なマージンを加えた電圧となる。
【００１１】
電源回路は、有機ＥＬ素子９１０１，９１０２，９１０３を駆動するために必要な駆動電圧ＶＲ，ＶＧ，ＶＢのうち最も大きな値であるＶＲと、定電流回路を正常に動作させるために必要な電圧との和を定電流回路を動作させるための電源電圧ＶＣＣとして供給する。なお、図５に示す例では、行電極ドライバ部９２１に供給される非選択電位をＶＣＨとしている。また、行電極ドライバ部９２１に供給される選択電位（非点灯電位）および信号電極ドライバ部９２２に供給されるオフ電圧（非点灯電位）をＶＳＳとしている。ＶＳＳは、例えば接地電位（０Ｖ）である。
【００１２】
上述したように、発色する色によって、有機ＥＬ素子を駆動するために必要な駆動装置の出力が異なる。例えば、Ｒ、ＧおよびＢのそれぞれを発色する有機ＥＬディスプレイ装置において、同程度の輝度で発光させる場合、Ｒを発色する有機ＥＬ素子を駆動するために必要な駆動電流および駆動電圧は、ＧまたはＢを発色する有機ＥＬ素子を駆動するために必要な駆動電流および駆動電圧よりも大きいことが知られている。
【００１３】
発色する色により有機ＥＬ素子に流す電流量を変えることによって、複数の色の輝度を合わせることを容易にするエリアカラー表示を行う有機ＥＬ表示装置が提供されている（例えば、特許文献１）。特許文献１に記載された有機ＥＬ表示装置は、例えば、輝度特性が最も低いＲを発光する有機ＥＬ素子の信号電極に接続するドライバ出力端子の数を、Ｂを発光する有機ＥＬ素子の信号電極に接続するドライバ出力端子の数より多くすることにより、Ｒを発光する有機ＥＬ素子に多くの電流を流すことができる。
【００１４】
【特許文献１】特開２００４−２４７０７６号公報（段落００５８−００６０）
【発明の開示】
【発明が解決しようとする課題】
【００１５】
一般に、定電流回路を動作させるための電源電圧ＶＣＣは、有機ＥＬ素子を駆動するために必要な駆動電圧のうち、最も大きい値にあわせて決定される。すなわち、図５に示す例では、各電圧の大小関係がＶＣＣ＞ＶＲ＞ＶＧ＞ＶＢであることから、Ｒを発色する有機ＥＬ素子を駆動するために必要な駆動電圧ＶＲと定電流回路９２２１を正常に動作させるために必要な電圧との和が電源電圧ＶＣＣとして設定される。
【００１６】
一般に、定電流回路９２２１，９２２２，９２２３が正常に動作するために必要な電圧マージンは、出力する電流量にも依存するが、それぞれほぼ等しい。したがって、必要な駆動電圧が最も大きい有機ＥＬ素子にあわせて電源電圧を決定すると、必要な駆動電圧が小さい有機ＥＬ素子に接続される定電流回路では、供給される電源電圧と正常に動作するために必要な電圧とに差が生じることになり、無駄な電力を消費することになる。また、その結果、駆動装置の発熱が大きくなるという問題がある。
【００１７】
また、Ｒ，Ｇ，Ｂの輝度を同程度とする場合以外にも、同様の問題が生じる。例えば、Ｒ，Ｇ，Ｂの組み合わせにより白色表示を行う場合、Ｒ，Ｇ，Ｂの輝度の比が所定の比になるように定められるが、この場合にも同様に、無駄な消費電力の発生等の問題が生じる。
【００１８】
そこで、本発明は、有機ＥＬディスプレイ装置の駆動装置において、消費電力が小さく、駆動装置の発熱を抑えることができる有機ＥＬディスプレイ装置の駆動装置を提供することを目的とする。
【課題を解決するための手段】
【００１９】
本発明の態様１は、複数の走査電極と複数の信号電極との間に有機薄膜が配置され、信号電極ごとに複数種類の有機薄膜のうちのいずれかが配置された有機ＥＬディスプレイ装置の駆動装置であって、各信号電極に対して定電流を流す定電流回路を各信号電極ごとに有する信号電極ドライバと、定電流回路を動作させるための電圧を信号電極ドライバに供給する電源回路とを備え、電源回路は、複数種類の有機薄膜のいずれかが配置された各信号電極に対応する各定電流回路に応じた複数の電圧であって、有機薄膜の種類に対応する複数の電圧を信号電極ドライバに供給し、信号電極ドライバは、電源回路から供給される電圧を、当該電圧に対応する有機薄膜が配置された信号電極に定電流を流す定電流回路に供給することを特徴とする有機ＥＬディスプレイ装置の駆動装置を提供する。
【００２０】
本発明の態様２は、態様１において、有機ＥＬディスプレイ装置に配置される複数種類の有機薄膜が、発色する色が異なる複数種類の有機薄膜であり、電源回路が、発色する色が異なる複数種類の有機薄膜のいずれかが配置された各信号電極に対応する各定電流回路に応じた複数の電圧であって、有機薄膜の種類に対応する複数の電圧を信号電極ドライバに供給する有機ＥＬディスプレイ装置の駆動装置を提供する。
【００２１】
本発明の態様３は、態様２において、電源回路は、有機薄膜の種類に対応する複数の電圧として、それぞれの有機薄膜に定電流を流したときに有機薄膜に印加される電圧に所定の電圧を加算した電圧を信号電極ドライバに供給する有機ＥＬディスプレイ装置の駆動装置を提供する。
【発明の効果】
【００２２】
本発明では、電源回路が有機ＥＬ素子の色によって異なる値の電源電圧を供給することから、電源回路が有機ＥＬ素子の色によらず同じ値の電源電圧を供給する場合と比較して、ドライバＩＣの消費電力を小さくすることができ、ドライバＩＣの発熱を抑えることができる。
【発明を実施するための最良の形態】
【００２３】
以下、本発明の実施の形態を図面を参照して説明する。図１は、本発明による有機ＥＬディスプレイ装置の駆動装置の例を示すブロック図である。
【００２４】
有機ＥＬセル（有機ＥＬディスプレイ装置）１０は、複数の走査電極（図示略。）と複数の信号電極（図示略。）とを備える。各走査電極と各信号電極とは、有機薄膜（有機ＥＬ素子）を挟んで直交するように配置される。各走査電極と各信号電極との交差部分が発光する部分となる。有機ＥＬセル１０は、互いに異なる色を発色する有機ＥＬ素子を有する。例えば、有機ＥＬ素子は、赤（Ｒ）、緑（Ｇ）、青（Ｂ）の３色のいずれかの色を発色する。信号電極側から走査電極側に電流が流れることにより、その有機ＥＬ素子が発光する。なお、ここでは、信号電極が有機ＥＬ素子の陽極になり、走査電極が有機ＥＬ素子の陰極になるように配置されているものとするが、逆であってもよい。
【００２５】
駆動装置は、ドライバＩＣ２０と、電源回路３０とを備える。ドライバＩＣ２０は、行電極ドライバ部２１と、信号電極ドライバ部２２と、コントローラ２３とを含む。コントローラ２３は、表示される画像の表示データを記憶するメモリ２４を有する。
【００２６】
行電極ドライバ部２１は、コントローラ２３に従って、個々の走査電極を一本ずつ選択し、選択行および非選択行の走査電極の電位をそれぞれ設定する。そして、各走査電極を選択しながら走査電極を走査していく。各走査電極の電位を設定するための電圧は、電源回路３０から供給される。行電極ドライバ部２１は、選択行の走査電極を選択時電位ＶＳＳに設定する。また、行電極ドライバ部２１は、ある走査電極の選択期間中、他の各走査電極の電位を非選択時電位ＶＣＨに設定する。
【００２７】
信号電極ドライバ部２２は、定電流回路を有し、コントローラ２３および選択行の表示データに従って、選択期間中、発光させるべき有機ＥＬ素子が存在する信号電極から選択行走査電極に定電流を流す。すなわち、信号電極ドライバ部２２は、発光させるべき有機ＥＬ素子が存在する信号電極から選択されている走査電極上の有機薄膜に定電流を流す。
【００２８】
定電流回路が正常に動作するためには、定電流を流したときに有機ＥＬ素子に印加される駆動電圧に対して必要なマージンを加えた電圧が、電源回路３０から定電流回路に供給される必要がある。定電流を流したときに有機ＥＬ素子に印加される駆動電圧は、素子が発光する色によって異なるため、定電流回路が正常に動作するために必要な電圧は、定電流回路がＲ，Ｇ，Ｂのどの有機ＥＬ素子に定電流を流すのかによって異なる。信号電極ドライバ部２２には、電源回路３０から、定電流回路が正常に動作するために必要な電圧として、複数種類の電圧が供給される。信号電極ドライバ部２２では、供給されたそれぞれの電圧が、対応する定電流回路に供給される。
【００２９】
なお、定電流回路を動作させるとは、定電流回路が定電流を出力できるようにすることを意味し、定電流回路を動作させるための電圧とは、定電流回路が定電流を出力可能な電圧を意味する。
【００３０】
コントローラ２３は、行電極ドライバ部２１と、信号電極ドライバ部２２とを制御することにより、有機ＥＬセル１０に画像を表示させる。また、コントローラ２３には、外部ＭＰＵ（Micro Processing Unit ）４０が接続される。外部ＭＰＵ４０は、メモリ２４に記憶される表示データを書き換える処理及びコントローラ２３の持つレジスタ値の設定を行う。レジスタ値は、例えば、行選択の数、定電流値およびリセット時間等を示す値である。
【００３１】
本実施の形態では、電源回路３０は、信号電極ドライバ部２２に、電源電圧ＶＣＣｒ，ＶＣＣｇ，ＶＣＣｂとオフ電圧（非点灯電位）ＶＳＳとを供給する。電源電圧ＶＣＣｒ，ＶＣＣｇ，ＶＣＣｂは、信号電極ドライバ部２２が備える定電流回路を正常に動作させるための電圧である。また、電源回路３０は、行電極ドライバ部２１に、非選択電位ＶＣＨと選択電位（非点灯電位）ＶＳＳとを供給する。本実施の形態では、選択電位とオフ電圧とは等しい電位であり、例えば接地電位（０Ｖ）である。
【００３２】
図２は、本発明による有機ＥＬディスプレイ装置における有機ＥＬセル１０と駆動装置とを示す模式図である。図２には、駆動装置として、行電極ドライバ部２１と、信号電極ドライバ部２２とを示し、電源回路３０（図１参照。）については図示を省略している。図２に示す有機ＥＬセル１０は、互いに異なる色を発色する３つの有機ＥＬ素子１０１，１０２，１０３を有する。例えば、有機ＥＬ素子１０１は赤色（Ｒ）を発色する有機ＥＬ素子であり、有機ＥＬ素子１０２は緑色（Ｇ）を発色する有機ＥＬ素子であり、有機ＥＬ素子１０３は青色（Ｂ）を発色する有機ＥＬ素子である。また、図２に示す信号電極ドライバ部２２は、定電流回路２２１，２２２，２２３を有する。なお、一般に、定電流回路はそれぞれスイッチに接続される。スイッチ制御信号にしたがって、点灯の場合にはスイッチがＡに接続されて各有機ＥＬ素子に定電流が流され、非点灯またはリセット時にはスイッチがＢに接続されて各有機ＥＬ素子にオフ電圧ＶＳＳが供給される。
【００３３】
図２を参照すると、定電流回路２２１は、信号電極を介して、Ｒを発光する有機ＥＬ素子１０１に接続されている。定電流回路２２２は、信号電極を介して、Ｇを発光する有機ＥＬ素子１０２に接続されている。定電流回路２２３は、信号電極を介して、Ｂを発光する有機ＥＬ素子１０３に接続されている。また、各有機ＥＬ素子は、走査電極を介して、行電極ドライバ部２１に接続される。なお、図２には、定電流回路および有機ＥＬ素子が３つずつの場合を例示したが、これに限られない。
【００３４】
図２に例示するように、定電流回路２２１には電源回路３０（図１参照。図２では図示せず。）から電源電圧ＶＣＣｒが供給され、定電流回路２２２には電源回路３０から電源電圧ＶＣＣｇが供給され、定電流回路２２３には電源回路３０から電源電圧ＶＣＣｂが供給される。また、有機ＥＬ素子１０１，１０２，１０３を駆動するために必要な駆動電圧をそれぞれＶＲ，ＶＧ，ＶＢとする。
【００３５】
図３は、本発明による有機ＥＬディスプレイ装置の駆動波形の例を示す説明図である。図３では、行電極ドライバ部２１の出力電圧の駆動波形を実線で表し、有機ＥＬ素子ごとの信号電極の電圧の駆動波形をそれぞれ破線で表している。また、定電流回路を動作させるための電源電圧ＶＣＣｒ，ＶＣＣｇ，ＶＣＣｂを二点鎖線で表している。
【００３６】
ここで、電源回路３０は、Ｒを発色する有機ＥＬ素子１０１を駆動するために必要な駆動電圧ＶＲと定電流回路２２１を正常に動作させるために必要な電圧マージンとの和を定電流回路２２１を動作させるための電源電圧ＶＣＣｒとして供給し、Ｇを発色する有機ＥＬ素子１０２を駆動するために必要な駆動電圧ＶＧと定電流回路２２２を正常に動作させるために必要な電圧マージンとの和を定電流回路２２２を動作させるための電源電圧ＶＣＣｇとして供給し、Ｂを発色する有機ＥＬ素子１０３を駆動するために必要な駆動電圧ＶＢと定電流回路２２３を正常に動作させるために必要な電圧マージンとの和を定電流回路２２３を動作させるための電源電圧ＶＣＣｂとして供給する。従って、電源電圧ＶＣＣｒ，ＶＣＣｇ，ＶＣＣｂは、複数種類の有機薄膜（ここでは、発色する色が異なる複数種類の有機ＥＬ素子１０１〜１０３）に対応する電圧である。
【００３７】
なお、図３に示す例では、行電極ドライバ部２１に供給される非選択電位はＶＣＨである。また、行電極ドライバ部２１に供給される選択電位および信号電極ドライバ部２２に供給されるオフ電圧はＶＳＳであって、例えば接地電位である。
【００３８】
次に、具体例を説明する。Ｒを発色する有機ＥＬ素子１０１、Ｇを発色する有機ＥＬ素子１０２およびＢを発色する有機ＥＬ素子１０３を有し、９６画素×６４ラインからなる有機ＥＬセル１０を用いる場合を例に説明する。また、有機ＥＬセル１０のピクセルのサイズ（ドットサイズ）を０．３ｍｍ×０．１ｍｍとし、ドライバＩＣ２０を用いて、輝度１００ｃｄ／ｍ２、１／６４デューティで駆動する場合を例にする。なお、白色を適正に表示するため、各色を発光する有機ＥＬ素子の発光輝度は、Ｒが１５ｃｄ／ｍ２、Ｇが６０ｃｄ／ｍ２、Ｂが２５ｃｄ／ｍ２であるものとする。
【００３９】
このとき、信号電極１本（１ピン）あたりの駆動電流および駆動電圧は、信号電極が接続される有機ＥＬ素子が発色する色によって異なる。ここでは、Ｒを発色する有機ＥＬ素子１０１の駆動電流ＩＲおよび駆動電圧ＶＲがそれぞれ８８μＡおよび１５．１Ｖ、Ｇを発色する有機ＥＬ素子１０２の駆動電流ＩＧおよび駆動電圧ＶＧがそれぞれ２８μＡおよび８．４Ｖ、Ｂを発色する有機ＥＬ素子１０３の駆動電流ＩＢおよび駆動電圧ＶＢがそれぞれ２０μＡおよび９．４Ｖである場合を例にして説明する。また、各定電流回路が正常に動作するために必要な電圧マージンはそれぞれ２．０Ｖであるものとする。
【００４０】
まず、図４に示す従来技術のように、電源回路が、有機ＥＬ素子の色によらず同じ値の電源電圧ＶＣＣを供給する場合のドライバＩＣ２０の消費電力を算出する。電源電圧ＶＣＣは、有機ＥＬ素子９１０１，９１０２，９１０３を駆動するために必要な駆動電圧ＶＲ，ＶＧ，ＶＢのうち最も大きな値であるＶＲと、定電流回路を正常に動作させるために必要な電圧マージン２．０Ｖとの和で算出される。ここで、ＶＲ＝１５．１Ｖより、ＶＣＣ＝１５．１＋２．０＝１７．１Ｖと算出される。
【００４１】
定電流回路９２２１，９２２２，９２２３に流れる電流ＩＲ，ＩＧ，ＩＢは、信号電極を介して接続される有機ＥＬ素子の駆動電流と同じであり、それぞれＩＲ＝８８μＡ、ＩＧ＝２８μＡ、ＩＢ＝２０μＡである。
【００４２】
したがって、１画素あたりの定電流回路の消費電力は、以下のように算出される。
【００４３】
ＩＲ×（ＶＣＣ−ＶＲ）＋ＩＧ×（ＶＣＣ−ＶＧ）＋ＩＢ×（ＶＣＣ−ＶＢ）
＝８８μＡ×（１７．１−１５．１）Ｖ＋２８μＡ×（１７．１−８．４）Ｖ＋２０μＡ×（１７．１−９．４）Ｖ
＝（１７６．０＋２４３．６＋１５４．０）μＷ
＝５７３．６μＷ
【００４４】
ドライバＩＣ２０の消費電力は、９６画素あたりの定電流回路の消費電力として算出される。したがって、全画素が点灯する場合のドライバＩＣ２０の消費電力は、５７３．６μＷ×９６＝５５．０６５６ｍＷと算出される。
【００４５】
次に、本発明の駆動回路において、電源回路が、有機ＥＬ素子の色によって異なる値の電源電圧ＶＣＣｒ，ＶＣＣｇ，ＶＣＣｂを供給する場合のドライバＩＣ２０の消費電力を算出する。電源電圧ＶＣＣｒは、Ｒを発色する有機ＥＬ素子１０１を駆動するために必要な駆動電圧ＶＲと定電流回路２２１を正常に動作させるために必要な電圧マージンとの和で算出され、電源電圧ＶＣＣｇは、Ｇを発色する有機ＥＬ素子１０２を駆動するために必要な駆動電圧ＶＧと定電流回路２２２を正常に動作させるために必要な電圧マージンとの和で算出され、電源電圧ＶＣＣｂは、Ｂを発色する有機ＥＬ素子１０３を駆動するために必要な駆動電圧ＶＢと定電流回路２２３を正常に動作させるために必要な電圧マージンとの和で算出される。
【００４６】
ここで、定電流回路２２１，２２２，２２３を正常に動作させるために必要な電圧マージンはそれぞれ２．０Ｖである。また、ＶＲ＝１５．１Ｖ、ＶＧ＝８．４Ｖ、ＶＢ＝９．４Ｖであることから、ＶＣＣｒ＝１５．１＋２．０＝１７．１Ｖ、ＶＣＣｇ＝８．４＋２．０＝１０．４Ｖ、ＶＣＣｂ＝９．４＋２．０＝１１．４Ｖと算出される。
【００４７】
また、定電流回路２２１，２２２，２２３に流れる電流ＩＲ，ＩＧ，ＩＢは、信号電極を介して接続される有機ＥＬ素子の駆動電流と同じであり、それぞれＩＲ＝８８μＡ、ＩＧ＝２８μＡ、ＩＢ＝２０μＡである。
【００４８】
したがって、１画素あたりの定電流回路の消費電力は、以下のように算出される。
【００４９】
ＩＲ×（ＶＣＣｒ−ＶＲ）＋ＩＧ×（ＶＣＣｇ−ＶＧ）＋ＩＢ×（ＶＣＣｂ−ＶＢ）
＝８８μＡ×（１７．１−１５．１）Ｖ＋２８μＡ×（１０．４−８．４）Ｖ＋２０μＡ×（１１．４−９．４）Ｖ
＝（１７６．０＋５６．０＋４０．０）μＷ
＝２７２．０μＷ
【００５０】
ドライバＩＣ２０の消費電力は、９６画素あたりの定電流回路の消費電力として算出される。したがって、全画素が点灯する場合のドライバＩＣ２０の消費電力は、２７２．０μＷ×９６＝２６．１１２ｍＷと算出される。この消費電力（２６．１１２ｍＷ）と、電源回路が有機ＥＬ素子の色によらずに同じ値の電源電圧を供給する場合の消費電力（５５．０６５６ｍＷ）とを比較すると、本発明では消費電力を低減できていることがわかる。
【００５１】
以上に説明したように、本実施の形態によれば、電源回路が有機ＥＬ素子の色によって異なる値の電源電圧を供給することから、電源回路が有機ＥＬ素子の色によらず同じ値の電源電圧を供給する場合と比較して、ドライバＩＣの消費電力を小さくすることができるという効果がある。その結果、ドライバＩＣの発熱を抑えることもできる。
【００５２】
なお、本実施の形態では、ドライバＩＣとしてワンチップドライバＩＣを例示したが、ワンチップドライバＩＣに限られない。また、各有機ＥＬ素子を駆動するために必要な駆動電圧ＶＲ，ＶＧ，ＶＢの大小関係は一例であって、その他の関係であってもよい。
【産業上の利用可能性】
【００５３】
本発明は、有機ＥＬディスプレイ装置に適用可能であり、特に、消費電力を小さくして駆動装置の発熱を抑えることが要求される有機ＥＬディスプレイ装置への適用が有用である。
【図面の簡単な説明】
【００５４】
【図１】本発明による有機ＥＬディスプレイ装置の駆動装置の例を示すブロック図。
【図２】本発明による有機ＥＬディスプレイ装置における有機ＥＬセルと駆動装置とを示す模式図。
【図３】本発明による有機ＥＬディスプレイ装置の駆動波形の例を示す説明図。
【図４】一般的な有機ＥＬディスプレイ装置における有機ＥＬセルと駆動装置とを示す模式図。
【図５】一般的な有機ＥＬディスプレイ装置の駆動波形の例を示す説明図。
【符号の説明】
【００５５】
１０  有機ＥＬセル
２０  ドライバＩＣ
２１  行電極ドライバ部
２２  信号電極ドライバ部
２３  コントローラ
２４  メモリ
３０  電源回路
４０  外部ＭＰＵ
【図１】
2007093870.tif 000003
【図２】
2007093870.tif 000004
【図３】
2007093870.tif 000005
【図４】
2007093870.tif 000006
【図５】
2007093870.tif 000007